(57)【要約】    【構成】  携帯電話１２は、無線タグ１８から情報を読み取る無線タグリーダを含む。電磁波が制限される病院内のタグ１８ｃには“電磁波制限”を示す携帯マナー情報が記録され、音量が制限される図書館内のタグ１８ｂには“音量制限”を示す携帯マナー情報が記録され、何ら制限がない路上のタグ１８ａには“無制限”を示す携帯マナー情報が記録される。携帯電話１２は、着信が検出されたとき、最寄りの無線タグ１８から情報を読み取り、読み取られた情報を判別し、そして呼び出し動作モードを“音声呼び出し”，“非音声呼び出し”および“呼び出し動作停止”のうち判別結果に対応するモードに設定する。    【効果】  着信があったときにタグ情報に基づいて呼び出し動作モードを変更することにより、呼び出し音や通話時に放射される電磁波で周囲に迷惑を与えるのを簡単かつ適切に防止できる。【選択図】  図１
2006148617.tif 000002
【特許請求の範囲】
【請求項１】
無線タグに記録されたタグ情報を読み取る読み取り手段、
着信が検出されたとき前記読み取り手段の読み取り結果を判別する判別手段、および
動作モードを前記判別手段の判別結果に対応するモードに設定する設定手段を備える、携帯通信端末。
【請求項２】
設定手段によるモード設定を発信元に通知する通知手段をさらに備える、請求項１記載の携帯通信端末。
【請求項３】
前記着信の検出に応答して読み取り手段を能動化する能動化手段、および
前記判別手段の判別動作の後に前記読み取り手段を不能化する不能化手段をさらに備える、請求項１または２記載の携帯通信端末。
【請求項４】
前記着信は電話着信であり、
前記動作モードは前記電話着信の検出に応じた呼び出し動作の態様を示す呼び出し動作モードである、請求項１ないし３のいずれかに記載の携帯通信端末。
【請求項５】
前記判別手段は前記読み取り手段の読み取り結果に音量制限を示すマナー情報が含まれるか否かを判別する音量制限判別手段を含み、
前記設定手段は前記音量制限判別手段の判別結果が肯定的であるとき前記呼び出し動作モードを非音声呼び出しモードに設定する、請求項４記載の携帯通信端末。
【請求項６】
前記音声呼び出しモードおよび前記非音声呼び出しモードのいずれか一方を基準モードとして事前に選択する選択操作を受け付ける受け付け手段をさらに備え、
前記判別手段は前記読み取り手段の読み取り結果に無制限を示すマナー情報が含まれるか否かを判別する無制限判別手段を含み、
前記設定手段は前記無制限判別手段の判別結果が肯定的であるとき前記呼び出し動作モードを前記基準モードとして選択されたモードに設定する、請求項４記載の携帯通信端末。
【請求項７】
前記判別手段は前記読み取り手段の読み取り結果に電磁波制限を示すマナー情報が含まれるか否かを判別する電磁波制限判別手段を含み、
前記設定手段は前記電磁波制限判別手段の判別結果が肯定的であるとき前記呼び出し動作モードを無動作モードに設定する、請求項４記載の携帯通信端末。
【請求項８】
前記判別手段は前記電磁波制限判別手段の判別結果が否定的であるとき前記読み取り手段の読み取り結果に音量制限を示すマナー情報が含まれるか否かを判別する音量制限判別手段をさらに含み、
前記設定手段は前記音量制限判別手段の判別結果が肯定的であるとき前記呼び出し動作モードを非音声呼び出しモードに設定する、請求項７記載の携帯通信端末。
【請求項９】
前記音声呼び出しモードおよび前記非音声呼び出しモードのいずれか一方を基準モードとして事前に選択する選択操作を受け付ける受け付け手段をさらに備え、
前記判別手段は前記音量制限判別手段の判別結果が否定的であるとき記読み取り手段の読み取り結果に無制限を示すマナー情報が含まれるか否かを判別する無制限判別手段をさらに含み、
前記設定手段は前記無制限判別手段の判別結果が肯定的であるとき前記呼び出し動作モードを前記基準モードとして選択されたモードに設定する、請求項８記載の携帯通信端末。
【請求項１０】
前記設定手段は前記読み取り手段の読み取り結果に前記音量制限を示すマナー情報，前記無制限を示すマナー情報および前記電磁波制限を示すマナー情報のいずれも含まれないとき前記呼び出し動作モードを前記基準モードとして選択されたモードに設定する、請求項９記載の携帯通信端末。
【請求項１１】
携帯通信端末のプロセサによって実行される制御プログラムであって、
無線タグから発信されたタグ情報を読み取る読み取りステップ、
着信が検出されたとき前記読み取りステップの読み取り結果を判別する判別ステップ、および
動作モードを前記判別ステップの判別結果に対応するモードに設定する設定ステップを備える、制御プログラム。
【発明の詳細な説明】
【技術分野】
【０００１】
この発明は、携帯通信端末に関し、特にたとえば、着信を受けたとき呼び出し音によらない呼び出し動作を行うモード（以下“非音声呼び出しモード”）を備えた、携帯通信端末に関する。
【背景技術】
【０００２】
従来この種の携帯通信端末は一般に、ユーザが行う設定操作に従って、音声呼び出しモードまたは非音声呼び出しモードを設定する。そして、音声呼び出しモードが設定された状態で着信を受けると呼び出し音を出力し、非音声呼び出しモードが設定された状態で着信を受けると、呼び出し音を出力する代わりに筺体を振動させたりＬＥＤを点灯させたりする。これにより、図書館やオフィスといった静粛を要求される場所において着信を受けたとき、呼び出し音で周囲に迷惑がかかるのを防ぐことができる。
【０００３】
しかしながらユーザは、絶えず周囲の状況に気を配ってどのモードが適当かを判断し、かつこまめにモード切り換え操作を行うことが不可欠で、これを怠ると、呼び出し音が出力されてから慌てて非音声モードを設定したり、度重なる着信に気付かなかったりといった事態に陥ることがある。
【０００４】
かかる問題点を解決する従来技術の一例が、特許文献１に開示されている。この従来技術は、マナーモード（上記の非音声呼び出しモードの一種）を設定する操作を受け付けたとき、最寄りの基地局から基地局ＩＤを取得し、取得された基地局ＩＤを設定用基地局ＩＤとして記憶する。また、マナーモードを解除する（つまり音声呼び出しモードを設定する）操作を受け付けたとき、最寄りの基地局から基地局ＩＤを取得し、取得された基地局ＩＤを解除用基地局ＩＤとして記憶する。
【０００５】
こうして設定用基地局ＩＤおよび解除用基地局ＩＤを登録し終えると、以降、最寄りの基地局からの信号に含まれる基地局ＩＤを判別し、判別結果に従ってマナーモードを自動的に設定／解除する。
【特許文献１】特開２０００−１８８７８１号公報〔Ｈ０４Ｑ ７／３８，７／２２，７／２８，Ｈ０４Ｍ ３／４２〕
【発明の開示】
【発明が解決しようとする課題】
【０００６】
従来技術によれば、ある場所で一度マナーモードを設定／解除する操作を行えば、後に再び同じ場所を訪れたときマナーモードが自動的に設定／解除されるので、ユーザの操作量が軽減される。
【０００７】
しかしながら、初めて訪れる場所では必ず、マナーモードの要否を的確に判断し、かつ確実に設定／解除操作を行わなければならない。つまり、ユーザは、依然として少なからぬ操作量を要求される上、もし誤った判断をしたり、操作を間違えたりすれば、着信音で周囲に迷惑をかける結果となる。加えて、そもそもユーザのマナー意識が乏しければ、迷惑防止に関して何ら効果がない。
【０００８】
それゆえに、この発明の主たる目的は、着信に起因して周囲に迷惑を与えるのを簡単かつ適切に防止できる、携帯通信端末を提供することである。
【課題を解決するための手段】
【０００９】
請求項１の発明に従う携帯通信端末は、無線タグに記録されたタグ情報を読み取る読み取り手段、着信が検出されたとき読み取り手段の読み取り結果を判別する判別手段、および動作モードを判別手段の判別結果に対応するモードに設定する設定手段を備える。
【００１０】
無線タグに記録されたタグ情報は、読み取り手段によって読み取られる。読み取り手段の読み取り結果は、着信が検出されたときに、判別手段によって判別される。設定手段は、動作モードを判別手段の判別結果に対応するモードに設定する。着信があったときにタグ情報に基づいて動作モードを変更することで、着信に起因して周囲に迷惑を与えるのを簡単かつ適切に防止できる。
【００１１】
請求項２の発明に従う携帯通信端末は、請求項１に従属し、設定手段によるモード設定を発信元に通知する通知手段をさらに備える。
【００１２】
発信元は、相手方の現在のモードを知ることができ、ひいては、相手方の置かれた状況を推察することが可能となる。
【００１３】
請求項３の発明に従う携帯通信端末は、請求項１または２に従属し、着信の検出に応答して読み取り手段を能動化する能動化手段、および判別手段の判別動作の後に読み取り手段を不能化する不能化手段をさらに備える。
【００１４】
読み取り手段は、着信の検出に応答して能動化され、判別動作が終了すると不能化される。判別手段が判別を行う間だけ読み取り手段を動作させるので、消費電力を節約できる。
【００１５】
請求項４の発明に従う携帯通信端末は、請求項１ないし３のいずれかに従属し、着信は電話着信であり、動作モードは電話着信の検出に応じた呼び出し動作の態様を示す呼び出し動作モードである。
【００１６】
電話着信があったときに、タグ情報に基づいて呼び出し動作モードが変更される。
【００１７】
請求項５の発明に従う携帯通信端末は、請求項４に従属し、判別手段は読み取り手段の読み取り結果に音量制限を示すマナー情報が含まれるか否かを判別する音量制限判別手段を含み、設定手段は音量制限判別手段の判別結果が肯定的であるとき呼び出し動作モードを非音声呼び出しモードに設定する。
【００１８】
タグ情報に音量制限を示すマナー情報が含まれていれば、呼び出し動作モードは非音声呼び出しモードに設定される。
【００１９】
請求項６の発明に従う携帯通信端末は、請求項４に従属し、音声呼び出しモードおよび非音声呼び出しモードのいずれか一方を基準モードとして事前に選択する選択操作を受け付ける受け付け手段をさらに備え、判別手段は読み取り手段の読み取り結果に無制限を示すマナー情報が含まれるか否かを判別する無制限判別手段を含み、設定手段は無制限判別手段の判別結果が肯定的であるとき呼び出し動作モードを基準モードとして選択されたモードに設定する。
【００２０】
タグ情報に無制限を示すマナー情報が含まれていれば、呼び出し動作モードは基準モードとして事前に選択されたモードに設定される。
【００２１】
請求項７の発明に従う携帯通信端末は、請求項４に従属し、判別手段は読み取り手段の読み取り結果に電磁波制限を示すマナー情報が含まれるか否かを判別する電磁波制限判別手段を含み、設定手段は電磁波制限判別手段の判別結果が肯定的であるとき呼び出し動作モードを無動作モードに設定する。
【００２２】
タグ情報に電磁波制限を示すマナー情報が含まれていれば、呼び出し動作モードは無動作モードに設定される。
【００２３】
請求項８の発明に従う携帯通信端末は、請求項７に従属し、判別手段は電磁波制限判別手段の判別結果が否定的であるとき読み取り手段の読み取り結果に音量制限を示すマナー情報が含まれるか否かを判別する音量制限判別手段をさらに含み、設定手段は音量制限判別手段の判別結果が肯定的であるとき呼び出し動作モードを非音声呼び出しモードに設定する。
【００２４】
請求項９の発明に従う携帯通信端末は、請求項８に従属し、音声呼び出しモードおよび非音声呼び出しモードのいずれか一方を基準モードとして事前に選択する選択操作を受け付ける受け付け手段をさらに備え、判別手段は音量制限判別手段の判別結果が否定的であるとき記読み取り手段の読み取り結果に無制限を示すマナー情報が含まれるか否かを判別する無制限判別手段をさらに含み、設定手段は無制限判別手段の判別結果が肯定的であるとき呼び出し動作モードを基準モードとして選択されたモードに設定する。
【００２５】
請求項７〜９の発明に従えば、電磁波が制限される領域内には電磁波制限を示すマナー情報を記録した無線タグが配置され、音量が制限される領域内には音量制限を示すマナー情報を記録した無線タグが配置され、電話利用に関して何ら制限がない領域内には無制限を示すマナー情報を記録した無線タグが配置される。携帯通信端末は、電話着信を受けたとき、無線タグから情報を読み取り、読み取られた情報にかかるマナー情報が含まれるか否かを判別し、そして呼び出し動作モードを“音声呼び出し”，“非音声呼び出し”および“呼び出し動作停止”のうち判別結果に対応するモードに設定する。
【００２６】
このため、各領域への出入りの際いちいち設定操作を行わなくても、電磁波が制限された場所では通話時に放射される電磁波により周囲に迷惑を与えるのを防止でき、音量が制限される場所では呼び出し音により周囲に迷惑を与えるのを防止できる。また、何ら制限のない場所では、基準モードとして音声呼び出しモードを選択しておくことで、呼び出し音により着信を確実に知ることができる。
【００２７】
また、携帯通信端末は、電話着信が検出された時点で呼び出し動作モードの変更を行うので、各領域への出入りの際に逐一これを行う場合と比べ、モード変更の回数を削減できる。
【００２８】
請求項１０の発明に従う携帯通信端末は、請求項９に従属し、設定手段は読み取り手段の読み取り結果に音量制限を示すマナー情報，無制限を示すマナー情報および電磁波制限を示すマナー情報のいずれも含まれないとき呼び出し動作モードを基準モードとして選択されたモードに設定する。
【００２９】
事前の選択操作によって、音声呼び出しモードおよび非音声呼び出しモードのいずれか一方が選択される。無線タグから読み出された情報にどのマナー情報も含まれていなければ、呼び出し動作モードは、事前の選択操作により選択されたモードに設定される。
【００３０】
マナー情報を記録した無線タグが配置されていない場所では、ユーザの好みに応じた呼び出し動作モードが設定されるので、ユーザによるモード選択の自由も適切に確保される。
【００３１】
請求項１１の発明に従う制御プログラムは、携帯通信端末のプロセサによって実行される制御プログラムであって、無線タグから発信されたタグ情報を読み取る読み取りステップ、着信が検出されたとき読み取りステップの読み取り結果を判別する判別ステップ、および動作モードを判別ステップの判別結果に対応するモードに設定する設定ステップを備える。
【発明の効果】
【００３２】
この発明によれば、着信に起因して周囲に迷惑を与えるのを簡単かつ適切に防止することができる。
【００３３】
この発明の上述の目的，その他の目的，特徴および利点は、図面を参照して行う以下の実施例の詳細な説明から一層明らかとなろう。
【発明を実施するための最良の形態】
【００３４】
図１を参照して、この実施例の無線通信システム１０は、携帯電話１２を含む。携帯電話１２は、無線基地局１６を介して他の通信端末、たとえば他の携帯電話１４と通信する。
【００３５】
無線基地局１６の通信エリア内に存在する建造物（たとえばビル，道路，標識），車両（たとえば電車，バス）等の各々には、１または複数のＲＦＩＤタグ（Radio Frequency Identification Tag；以下“タグ”）１８が埋め込まれる。なお、図では、路上に設けられたものを“タグ１８ａ”と表記し、図書館内に設けられたものを“タグ１８ｂ”と表記し、病院内に設けられたものを“タグ１８ｃ”と表記しているが、特に区別する必要がないときは単に“タグ１８”と称する。
【００３６】
タグ１８には、その建造物を識別する識別情報と、その建造物に関連する関連情報が記憶されている。識別情報は、住所，郵便番号などの所在地情報を少なくとも含む。関連情報としては、ビルであれば入居施設の名称・種別・営業時間等を示す施設情報が挙げられ、道路であれば路線番号・交通案内等を示す道路案内情報などが挙げられる。
【００３７】
携帯電話１２はまた、所望のタイミングで最寄りのタグ１８から情報を読み取り、読み取られた情報を画像や音声の態様で出力する。これによりユーザは、必要なとき簡単に、現在位置を確認したり、施設情報を入手したり、道路交通案内を受けたりすることができる。
【００３８】
タグ１８にはさらに、タグ１８自身の近傍で携帯電話を利用するとき守られるべきマナーを示す携帯マナー情報として、“無制限”，“音量制限”および“電磁波制限”のいずれか１つが記録される。具体的には、携帯電話を自由に利用して構わない路上に設けられたタグ１８ａには“無制限”を示す携帯マナー情報が記録され、呼び出し音や会話の音量が制限される図書館内に設けられたタグ１８ｂには“音量制限”を示す携帯マナー情報が記録され、電磁波の放射が制限される病院に設けられたタグ１８ｂには“電磁波制限”を示す携帯マナー情報が記録される。
【００３９】
携帯電話１２には、呼び出し動作モードとして“音声呼び出し”，“非音声呼び出し”および“呼び出し動作停止”の３つのモードが準備されている。携帯電話１２は、音声呼び出しモードが設定された状態で着信を検出すると呼び出し音を出力し、非音声呼び出しモードが設定された状態で着信を検出すると、呼び出し音を出力する代わりに自身の筺体を振動させる。一方、呼び出し動作停止モードが設定された状態では、着信を検出しても何ら呼び出し動作は行わない。
【００４０】
そして携帯電話１２は、かかる呼び出し動作モードのうち周囲の状況に適したモードを適切なタイミングで設定する。すなわち、携帯電話１２は、携帯電話１４から着信を受けたとき、最寄りのタグ１８から情報を読み取る。そして、読み取られた情報に“無制限”を示す携帯マナー情報が含まれていれば音声呼び出しモードを設定し、読み取られた情報に“音量制限”を示す携帯マナー情報が含まれていれば非音声呼び出しモードを設定し、読み取られた情報に“電磁波制限”を示す携帯マナー情報が含まれていれば呼び出し動作停止モードを設定する。
【００４１】
さらに携帯電話１２は、音声呼び出しモードおよび非音声呼び出しモードのいずれか一方を基準モードとして事前に選択する選択操作を受け付ける。このため、携帯電話１２は、どのタグ１８からの電波も届かない場所に位置しているときや、タグ１８から読み取られた情報にいかなる携帯マナー情報も含まれていないとき、事前の選択操作により選択されたモードを設定する。
【００４２】
加えて携帯電話１２は、上記のようにして設定されたモードを所定のタイミングで発信元つまり携帯電話１４に通知する。具体的には、携帯電話１２は、音声呼び出しモードまたは非音声呼び出しモードが設定されている状態では、呼び出し動作を開始してから所定時間が経過した時点で、現在のモードを示す信号を無線基地局１６に送信する。一方、呼び出し動作停止モードが設定されている状態では、着信を検出したとき直ちに信号を無線基地局１６に送信する。
【００４３】
無線基地局１６は、携帯電話１２からの信号を受信し、受信された信号に対応するメッセージ、つまり携帯電話１２の現在のモードを示すメッセージを携帯電話１４に送信する。携帯電話１４は、かかるメッセージをスピーカから出力し、またＬＣＤモニタ１４ｍにも表示する（図８〜図１０参照）。
【００４４】
以上のように構成された無線通信システム１０は、具体的には、次のように動作する。携帯電話１２は予め、モード自動切り換え機能をオン／オフする操作と、基準モードを選択する操作とを受け付ける。ここでは、モード自動切り換え機能がオンされ、基準モードとして“音声呼び出しモード”が選択されたとする。
【００４５】
携帯電話１２は現在、基準モードつまり音声呼び出しモードが設定された状態で、図書館内の音量制限エリアＥ１内に位置している音量制限エリアＥ１は、タグ１８ｂ，１８ｂ，…からの電波の到達範囲に相当する。このとき、携帯電話１４が携帯電話１２に向かって発信処理を行ったとする。
【００４６】
携帯電話１４から送信された発呼信号は、無線基地局１６を経て携帯電話１２に達する。携帯電話１２は発呼信号を受信し、これにより携帯電話１４からの着信を検知する。着信を検知した携帯電話１２は、最寄りのタグ１８ｂから情報を読み取る。読み取られた情報には“音量制限”を示す携帯マナー情報が含まれており（図４（Ｂ）参照；後述）、このため携帯電話１２は、非音声呼び出しモードを設定する。
【００４７】
続いて携帯電話１２は、呼び出し動作を開始する。この場合、非音声呼び出しモードが設定されたため、筺体を振動させる。これに応答してユーザが着信操作を行えば、振動を停止して通話処理に移行する。所定時間が経過しても着信操作が行われなければ、“非音声呼び出しモード”を示す信号を無線基地局１６に送信し、振動を停止する。
【００４８】
無線基地局１６は、携帯電話１２からの信号を受信し、受信された信号に対応するメッセージつまり“非音声呼び出しモード”を示すメッセージを携帯電話１４宛に送信する。携帯電話１４は、かかるメッセージを音声に変換して出力し、かつ図９のような通知画面をＬＣＤモニタ１４ｍに表示する。これより、携帯電話１４のユーザは、相手方の携帯電話１２のモードが“非音声呼び出しモード”であることがわかり、ひいては相手方が音量制限を課された場所にいることを推察できる。
【００４９】
なお、この実施例では、無線基地局１６が携帯電話１２からの信号に基づいて携帯電話１４にメッセージを送信しているが、携帯電話１２自身が携帯電話１４に直接メッセージを送信する方式を採用してもよい。
【００５０】
この後、携帯電話１２は、図書館から屋外に移動し、無制限エリアＥ０内に位置しているとき再び携帯電話１４からの着信を受けたとする。無制限エリアＥ０は、タグ１８ａ，１８ａ，…からの電波の到達範囲に相当する。携帯電話１２は、発呼信号の受信により携帯電話１４からの着信を検知し、最寄りのタグ１８ａから情報を読み取る。読み取られた情報には“無制限”を示す携帯マナー情報が含まれており（図４（Ａ）参照；後述）、このため携帯電話１２は、音声呼び出しモードを設定する。
【００５１】
続いて携帯電話１２は、呼び出し動作を開始する。この場合、音声呼び出しモードが設定されたため、呼び出し音を出力する。これに応答してユーザが着信操作を行えば、呼び出し音を停止して通話処理に移行する。所定時間が経過しても着信操作が行われなければ、“音声呼び出しモード”を示す信号を無線基地局１６に送信し、呼び出し音を停止する。
【００５２】
無線基地局１６は、携帯電話１２からの信号を受信し、“音声呼び出しモード”を示すメッセージを携帯電話１４宛に送信する。携帯電話１４は、かかるメッセージを音声に変換して出力し、かつ図８のような通知画面をＬＣＤモニタ１４ｍに表示する。これより、携帯電話１４のユーザは、相手方の携帯電話１２のモードが“音声呼び出しモード”であることがわかり、ひいては相手方が携帯電話で自由に通話できる場所にいることを推察できる。
【００５３】
さらにこの後、携帯電話１２は、屋外から病院内に移動し、電磁波制限エリアＥ２内に位置しているとき再び携帯電話１４からの着信を受けたとする。電磁波制限エリアＥ２は、タグ１８ｃ，１８ｃ，…からの電波の到達範囲に相当する。携帯電話１２は、発呼信号の受信により携帯電話１４からの着信を検知し、最寄りのタグ１８ｃから情報を読み取る。読み取られた情報には“電磁波制限”を示す携帯マナー情報が含まれており（図４（Ｃ）参照；後述）、このため携帯電話１２は、呼び出し動作停止モードを設定する。
【００５４】
続いて携帯電話１２は、呼び出し動作をスキップし、“呼び出し動作停止モード”を示す信号を直ちに無線基地局１６に送信する。無線基地局１６は、携帯電話１２からの信号を受信し、“呼び出し動作停止モード”を示すメッセージを携帯電話１４宛に送信する。携帯電話１４は、かかるメッセージを音声に変換して出力し、かつ図１０のような通知画面をＬＣＤモニタ１４ｍに表示する。これより、携帯電話１４のユーザは、相手方の携帯電話１２のモードが“呼び出し動作停止モード”であることがわかり、ひいては相手方が電磁波の放射を制限された場所にいることを推察できる。
【００５５】
最後に携帯電話１２は、病院から自宅へと移動し、自宅内で再び携帯電話１４からの着信を受けたとする。すると携帯電話１２は、タグ情報の読み取りを試みる。しかし自宅内にはタグ１８は設けられていないため、有意の情報は得られない。このため携帯電話１２は、基準モードつまり音声呼び出しモードを設定する。
【００５６】
続いて携帯電話１２は、音声による呼び出し動作を開始する。これに応答してユーザが着信操作を行えば、呼び出し音を停止して通話処理に移行する。所定時間が経過しても着信操作が行われなければ、“音声呼び出しモード”を示す信号を無線基地局１６に送信し、呼び出し音を停止する。無線基地局１６は、信号を受信し、“音声呼び出しモード”を示すメッセージを携帯電話１４宛に送信する。
【００５７】
このように、携帯電話１２は、着信をトリガーとしてタグ１８からタグ情報を読み取り、読み取られたタグ情報に記述された携帯マナー情報に対応する読み出し動作モードを設定する。タグ情報を読み取れないか、あるいは読み取られたタグ情報に携帯マナー情報が含まれていない場合には、事前に選択された基準モードを設定する。
【００５８】
なお、こうしたモード設定とは別の機能として、携帯電話１２は、所望のタイミングで、つまり着信とは無関係に、タグ１８からタグ情報を読み取り、読み取られた情報を音声または画像の態様で出力することもできる。
【００５９】
携帯電話１２は、具体的には、図２のように構成される。図２を参照して、入力パネル５０を通して電源オン操作を受けると、ＣＰＵ４４は、待ち受け画面（図示せず）をＬＣＤモニタ４６に表示する。この後、入力パネル５０を通して設定操作を受け付けると、ＣＰＵ４４は、図５に示す設定メニュー画面をＬＣＤモニタ４６に表示する。
【００６０】
図５の画面には、“１．音声”，“２．画像”，“３．モード自動切り換え”，…といった複数の設定項目が提示される。ここで入力パネル５０を通して“３．モード自動切り換え”が選択されると、ＣＰＵ４４は、表示画面を図６に示すモード自動切り換え機能選択画面に更新する。
【００６１】
図６の画面には“ＯＮ”および“ＯＦＦ”の２つの選択肢と、選択操作に関する説明文とが提示される。ここで入力パネル５０を通して選択操作を受け付けると、ＣＰＵ４４は、選択結果をＲＡＭ５４に保持する。“ＯＮ”が選択された場合、ＣＰＵ４４はさらに、表示画面を図７に示す基準モード選択画面に更新する。
【００６２】
図７の画面には、“非音声呼び出し”および“音声呼び出し”の２つの選択肢と、選択操作に関する説明文とが提示される。ここで入力パネル５０を通して選択操作を受け付けると、ＣＰＵ４４は、選択結果をＲＡＭ５４にさらに保持する。
【００６３】
図５〜図７の画面を利用した設定操作を通じて、ＲＡＭ５４には、モード自動切換え機能に関する設定値として“ＯＮ”および“ＯＦＦ”のいずれか一方が登録され、“ＯＮ”が登録された場合にはさらに、基準モードとして“非音声呼び出し”および“音声呼び出し”のいずれか一方が登録されることとなる。ＲＡＭ５４の登録値は、呼び出しモード自動切り換え処理を行うときＣＰＵ４４によって参照される。
【００６４】
設定操作の完了後、入力パネル５０を通して発信操作が行われると、ＣＰＵ４４は、無線／通話処理回路３２に発信処理を命令する。この発信処理によって相手方との接続が確立されると、通話可能状態となる。
【００６５】
また、アンテナ３０を通して相手方から発呼信号を受信すると、無線／通話処理回路３２からＣＰＵ４４に対して着信が通知される。通知を受けると、ＣＰＵ４４は最初、ＲＡＭ５４を参照して、モード自動切り換え機能がオンされているかどうかを確認し、オンされていれば無線タグリーダ４２を起動する。
【００６６】
次に、ＣＰＵ４４は、無線タグリーダ４２にタグ情報の読み取りを命じる。無線タグリーダ４２は、アンテナ４０を通してタグ１８から情報を読み取る。より具体的には、読み出し要求をアンテナ４０からタグ１８に送信し、これに応答してタグ１８から送信された情報を同じアンテナ４０で受信する。
【００６７】
ここで、タグ１８ａ〜１８ｃは、図３のように構成される。図３を参照して、タグ１８ａはＲＯＭ６６ａを含む。ＲＯＭ６６ａには、図４（Ａ）に示すように、所在地情報と、道路案内情報と、“無制限”を示す携帯マナー情報とが記憶されている。ＲＯＭ６６ｂには、図４（Ｂ）に示すように、所在地情報と、“図書館”を示す施設情報と、“音量制限”を示す携帯マナー情報とが記憶されている。ＲＯＭ６６ｃには、図４（Ｃ）に示すように、所在地情報と、“病院”を示す施設情報と、“電磁波制限”を示す携帯マナー情報とが記憶されている。
【００６８】
送受信回路６４ａは、無線タグリーダ４２からの読み出し要求をアンテナ６２ａで受信し、ＲＯＭ６６ａ内の情報を同じアンテナ６２ａから無線タグリーダ４２に送信する。送受信回路６４ｂおよび６４ｃも同様の動作を行う。
【００６９】
読み取りが完了すると、ＣＰＵ４４は、無線タグリーダ４２を停止する。次に、無線タグリーダ４２によって読み取られたタグ情報を判別し、判別結果に対応する呼び出しモードを設定する。判別が行えない場合には、ＲＡＭ５４に登録された基準モードを設定する。
【００７０】
この後、ＣＰＵ４４は、設定された呼び出しモードに対応する呼び出し動作に移行する。すなわち、音声呼び出しモードが設定されていれば、増幅回路３４を介してスピーカ３６から呼び出し音を出力し、非音声呼び出しモードが設定されていれば、振動発生回路５２を介して筺体を振動させる。一方、呼び出し動作停止モードが設定されていれば、いかなる呼び出し動作も行わない。
【００７１】
続いてＣＰＵ４４は、こうして設定された呼び出し動作モードを示す信号を、無線／通話処理回路３２およびアンテナ３０を通して無線基地局１６に送信する。送信のタイミングは、音声呼び出しモードまたは非音声呼び出しモードが設定された場合、呼び出し動作開始から所定時間が経過した時点である。このため、所定時間が経過する前に着信操作が行われれば信号は送信されない。一方、呼び出し動作停止モードが設定された場合には、直ちに信号を送信する。
【００７２】
無線基地局１６は、携帯電話１２から送信された信号を受信し、受信された信号に対応するメッセージを携帯電話１４に送信する。携帯電話１４は、かかるメッセージを音声に変換して出力し、次いでＬＣＤモニタ１４ｍに同様のメッセージを表示する（図８〜図１０参照）。
【００７３】
呼び出し音の出力または筺体の振動を受けて、入力パネル５０に向けて着信操作が行われると、相手方との接続が確立され、これにより通話可能状態となる。通話可能状態に移行すると、マイクロフォン３８によって捉えられた音声信号が増幅回路３４を通して無線／通話処理回路３２に与えられる。無線／通話処理回路３２は、与えられた音声信号にＡ／Ｄ変換，符号化，変調といった一連の処理を施す。これにより、音声信号は音声パケットに変換される。変換された音声パケットは、アンテナ３０を介して相手方に発信される。
【００７４】
相手方から送られてきた音声パケットは、アンテナ３０によって受信され、無線／通話処理回路３２に与えられる。無線／通話処理回路３２は、与えられた音声パケットに復調，復号化，Ｄ／Ａ変換といった、上記とは逆の一連の処理を施す。これにより、音声パケットは音声信号に変換される。変換された音声信号は、増幅回路３４を介してスピーカ２６から出力される。
【００７５】
ＣＰＵ４４は、具体的には、図１１〜図１５に示すフロー図を処理する。なお、これらのフロー図に対応するプログラムは、ＲＯＭ４８に格納されている。
【００７６】
図１１を参照して、ＣＰＵ４４は、まずステップＳ１で初期処理を行う。初期処理には、２つのフラグＦおよびＧの各々に“０”をセットする処理が含まれる。なお、フラグＦには０，１および２のいずれか１つがセットされ、フラグＧには０または１がセットされる。
【００７７】
初期処理を終えると、ステップＳ３，Ｓ５，Ｓ７およびＳ９からなるループに入る。ステップＳ３では着信の有無を判別し、ステップＳ５では発信操作が行われたか否かを判別し、ステップＳ７では設定操作が行われたか否かを判別し、ステップＳ９ではその他の操作が行われたか否かを判別する。
【００７８】
無線／通話処理回路３２がアンテナ３０を通して発呼信号を受信すると、無線／通話処理回路３２からＣＰＵ４４に着信が通知される。これを受けてＣＰＵ４４は、ステップＳ３でＹＥＳと判別し、ステップＳ１１に移る。ステップＳ１１では、モード自動切り換え機能がオン状態であるか否かを判別する。なお、機能のオン／オフ状態，モードの設定状態，フラグの設定値などの判別は、ＲＡＭ５４を参照して行われる。
【００７９】
ステップＳ１１の判別結果が肯定的であれば、ステップＳ１３で呼び出し動作モード自動切り換え処理（後述）を行い、その後ステップＳ１５に進む。ステップＳ１１の判別結果が否定的であれば、ステップＳ１３をスキップしてステップＳ１５に進む。ステップＳ１５では着信処理（後述）を行う。着信処理が完了すると、ステップＳ１７でフラグＧが“１”であるか否かを判別する。この判別結果が肯定的であれば、ステップＳ１９で通話処理を行い、その後ステップＳ３〜Ｓ９のループに戻る。なお、通話処理の詳細な説明は省略する。
【００８０】
ステップＳ１７の判別結果が否定的つまりＧ＝０であれば、ステップＳ１９をスキップしてステップＳ３〜Ｓ９のループに戻る。
【００８１】
発信操作が行われると、ステップＳ５からステップＳ２１に移って発信処理を行い、その後ステップＳ３〜Ｓ９のループに戻る。なお、発信処理の詳細な説明は省略する。設定操作が行われると、ステップＳ７からステップＳ２３に移って設定処理（後述）を行い、その後ステップＳ３〜Ｓ９のループに戻る。その他の操作が行われると、ステップＳ９からステップＳ２５に移って該当する処理を行い、その後ステップＳ３〜Ｓ９のループに戻る。
【００８２】
上記ステップＳ１３の呼び出し動作モード自動切り換え処理は、図１２のサブルーチンに従う。図１２を参照して、ＣＰＵ４４は、まずステップＳ３１で無線タグリーダ４２を起動し、ステップＳ３３で無線タグリーダ４２にタグ情報の読み取りを命令する。応じて無線タグリーダ４２は、アンテナ４０を通じて最寄りのタグ１８から情報を読み取る。
【００８３】
読み取りが完了すると、ステップＳ３５で無線タグリーダ４２を停止し、次のステップＳ３７では、読み取られたタグ情報が有意の情報か否かを判別する。携帯電話１２の近くにタグ１８がないか、あってもそれが破損している場合、ステップＳ３７でＮＯと判別され、ステップＳ４９に進む。
【００８４】
ステップＳ３７の判別結果が肯定的であれば、ステップＳ３９に移って、読み取られたタグ情報が携帯マナー情報を含むか否かを判別する。この判別結果が否定的であれば、ステップＳ４９に進む。
【００８５】
ステップＳ３９の判別結果が肯定的であれば、ステップＳ４１に移って、携帯マナー情報が“電磁波制限”を示すか否かを判別する。この判別結果が肯定的であれば、ステップＳ４５でフラグＦに“２”をセットし、上位層のルーチンに復帰する。
【００８６】
ステップＳ４１の判別結果が否定的であれば、ステップＳ４３に移って携帯マナー情報が“音量制限”を示すか否かを判別する。この判別結果が肯定的であれば、ステップＳ４７でフラグＦに“１”をセットし、上位層のルーチンに復帰する。
【００８７】
ステップＳ４３の判別結果が否定的であれば、ステップＳ４９に移る。ステップＳ４９では、基準モードが“音声呼び出し”であるか否かを判別する。この判別結果が肯定的であれば、ステップＳ５１でフラグＦに“０”をセットし、上位層のルーチンに復帰する。
【００８８】
ステップＳ４９の判別結果が否定的であれば、ステップＳ４７でフラグＦに“１”をセットし、上位層のルーチンに復帰する。
【００８９】
上記ステップＳ１５の着信処理は、図１３のサブルーチンに従う。図１３を参照して、ＣＰＵ４４は、まずステップＳ６１およびＳ６３でフラグＦの値を判別する。Ｆ＝０であればステップＳ６９〜Ｓ８１を実行する。Ｆ＝１であればステップＳ８３〜Ｓ９５を実行する。Ｆ＝２であればステップＳ６５およびＳ６７を実行する。
【００９０】
具体的には、Ｆ＝０のとき、まずステップＳ６９で呼び出し音の出力開始を増幅回路３４に命令し、ステップＳ７１およびＳ７３のループに入る。ステップＳ７１では着信操作が行われたか否かを判別し、ステップＳ７３では所定時間が経過したか否かを判別する。
【００９１】
入力パネル５０を介して着信操作が行われると、ステップＳ７１でＹＥＳと判別され、ステップＳ７５に移る。ステップＳ７５では、フラグＧに“１”をセットし、その後ステップＳ８１に移る。
【００９２】
呼び出し音の出力開始から所定時間たとえば１０秒が経過すると、ステップＳ７３でＹＥＳと判別され、ステップＳ７７に移る。ステップＳ７７では、フラグＧに“０”をセットし、続くステップＳ７９では、“音声呼び出しモード”を示す信号を無線基地局１６に送信する。その後、ステップＳ８１に移る。無線基地局１６は、かかる信号に対応するメッセージを発信元つまり携帯電話１４に送信し、この結果、携帯電話１４からは、着信先のモードが“音声呼び出しモード”である旨のメッセージが出力される（図８参照）。
【００９３】
ステップＳ８１では、呼び出し音の出力停止を増幅回路３４に命令する。その後、上位層のルーチンに復帰する。
【００９４】
Ｆ＝１のときには、まずステップＳ８３で、動作開始を振動発生回路５２に命令する。これにより、携帯電話１２の筺体が振動を開始する。次に、ステップＳ８５およびＳ８７のループに入る。図１４を参照して、ステップＳ８５では着信操作が検出されたか否かを判別し、ステップＳ８７では所定時間が経過したか否かを判別する。
【００９５】
着信操作が行われると、ステップＳ８５でＹＥＳと判別され、ステップＳ８９に移る。ステップＳ８９では、フラグＧに“１”をセットし、その後ステップＳ９１に移る。
【００９６】
振動開始から所定時間たとえば１０秒が経過すると、ステップＳ８７でＹＥＳと判別され、ステップＳ９３に移る。ステップＳ９３では、フラグＧに“０”をセットし、続くステップＳ９５では“非音声呼び出しモード”を示す信号を無線基地局１６に送信し、その後ステップＳ９１に移る。無線基地局１６は、かかる信号に対応するメッセージを発信元つまり携帯電話１４に送信し、この結果、携帯電話１４からは、着信先のモードが“非音声呼び出しモード”である旨のメッセージが出力される（図９参照）。
【００９７】
ステップＳ９１では、動作停止を振動発生回路５２に命令する。これにより、筺体の振動が停止する。その後、上位層のルーチンに復帰する。
【００９８】
Ｆ＝２のときには、まずステップＳ６５でフラグＧに“０”をセットし、続くステップＳ６７では“呼び出し動作停止モード”を示す信号を無線基地局１６に送信し、その後、上位層のルーチンに復帰する。無線基地局１６は、かかる信号に対応するメッセージを発信元つまり携帯電話１４に送信し、この結果、携帯電話１４からは、着信先のモードが“呼び出し動作停止モード”である旨のメッセージが出力される（図１０参照）。
【００９９】
上記ステップＳ１５の設定処理は、図１５のサブルーチンに従う。図１５を参照して、ＣＰＵ４４は、まずステップＳ１１１で、設定メニュー画面（図５参照）をＬＣＤモニタ４６に表示し、その後ステップＳ１１３およびＳ１１５のループに入る。ステップＳ１１３では、設定メニュー画面上で“モード自動切り換え”が選択されたか否かを判別し、ステップＳ１１３では、他の項目が選択されたか否かを判別する。
【０１００】
ここで“モード自動切り換え”が選択されると、ステップＳ１１３でＹＥＳと判別され、ステップＳ１１７〜Ｓ１３５が実行される。他の項目が選択されると、ステップＳ１１５からステップＳ１３７に移り、選択された項目に該当する処理を行う。その後、上位層のルーチンに復帰する。
【０１０１】
“モード自動切り換え”が選択された場合、具体的には、まずステップＳ１１７で、モード自動切り換え機能選択画面（図６参照）をＬＣＤモニタ４６に表示し、その後ステップＳ１１９およびＳ１２１のループに入る。ステップＳ１１９では、モード自動切り換え機能選択画面上で“ＯＮ”が選択されたか否かを判別し、ステップＳ１２１では“ＯＦＦ”が選択されたか否かを判別する。
【０１０２】
“ＯＦＦ”が選択されると、ステップＳ１２１からステップＳ１２３に移り、自動切り換え機能をオフする。具体的には、機能オフを示すデータをＲＡＭ５４に登録する。その後、上位層のルーチンに復帰する。
【０１０３】
“ＯＮ”が選択されると、ステップＳ１１９からステップＳ１２５に移り、自動切り換え機能をオンする。続くステップＳ１２７で、基準モード選択画面（図７参照）をＬＣＤモニタ４６に表示し、その後ステップＳ１２９およびＳ１３１のループに入る。
【０１０４】
“音声”が選択されると、ステップＳ１２９からステップＳ１３５に移り、ＲＡＭ５４に“音声呼び出し”を基準モードとして登録する。その後、上位層のルーチンに復帰する。
【０１０５】
“非音声”が選択されると、ステップＳ１３１からステップＳ１３３に移り、ＲＡＭ５４に“非音声呼び出し” を基準モードとして登録する。その後、上位層のルーチンに復帰する。
【０１０６】
以上から明らかなように、この実施例では、携帯電話１２は、タグ１８に記録された情報を読み取る無線タグリーダ４２を含む。携帯電話の利用が自由な路上のタグ１８ａには“無制限”を示す携帯マナー情報が記録され、図書館など音量が制限される施設内のタグ１８ｂには“音量制限”を示す携帯マナー情報が記録され、病院など電磁波が制限される施設内のタグ１８ｃには、“電磁波制限”を示す携帯マナー情報が記録される。
【０１０７】
携帯電話１２は、電話着信の検出に応答して無線タグリーダ４２を起動し、最寄りのタグ１８に記録されたタグ情報の読み取りを無線タグリーダ４２に命令する。そして、無線タグリーダ４２により読み取られたタグ情報に含まれる携帯マナー情報を判別し、呼び出し動作モードを判別結果に対応するモードに設定する。具体的には、判別結果が“無制限”であれば、音声呼び出しモードおよび非音声呼び出しモードのうち基準モードとして事前に選択しておいたモードを設定し、判別結果が“音量制限”であれば非音声呼び出しモードを設定し、判別結果が“電磁波制限”であれば呼び出し動作停止モードを設定する。
【０１０８】
このように、電話着信があったときにタグ情報に基づいて呼び出し動作モードを変更すれば、電話の呼び出し音や通話時に放射される電磁波で周囲に迷惑を与えるのを簡単かつ適切に防止することができる。
【０１０９】
加えて、携帯電話１２は、こうして設定されたモードを発信元に通知する。このため、発信元は、相手方の現在の呼び出しモードを知ることができ、ひいては相手方の置かれた状況を推察することも可能となる。
【０１１０】
さらに、携帯電話１２は、タグ情報の判別動作が終了すると無線タグリーダ４２を停止させる。つまり、判別を行う間だけ無線タグリーダ４２を動作させるので、消費電力を節約することができる。
【０１１１】
なお、この実施例では、タグ１８に記録された携帯マナー情報（図４（Ａ），図４（Ｂ）および図４（Ｃ）を参照）に基づいて呼び出し動作モードを設定したが、同じタグ１８に記録された施設情報に基づいてこれを行うこともできる。具体的には、携帯電話１２は、携帯電話の利用が制限される施設に関する施設情報を、その施設で要求される携帯マナー毎に、予めテーブルに登録しておく。
【０１１２】
具体的には、テーブルの“電磁波制限”欄には“病院”，“航空機”，“優先座席”などを登録し、“音量制限”欄には“図書館”，“役所”，“電車”などを登録する。そして、着信が検出されたときタグ１８から施設情報を読み取り、読み取られた施設情報に対応する携帯マナーをテーブルに基づいて判別し、そして判別結果に対応するモードを設定する。
【０１１３】
また、この実施例では、“無制限”，“音量制限”および“電磁波制限”の３種類の携帯マナー情報を用いたが、いずれか２種類の携帯マナー情報を用いてもよく、４種類以上の携帯マナー情報を用いることも可能である。一例を挙げれば、“無制限”，“音量制限（弱）”，“音量制限（強）”および“電磁波制限”の４種類の携帯マナー情報を用いる。この場合、無線タグリーダ４２の読み取り結果が“無制限”を示せば“大音声”呼び出しモードを設定し、同じく“音量制限（弱）”を示せば“小音声”呼び出しモードを設定し、同じく“音量制限（強）”を示せば“非音声”呼び出しモードを設定し、同じく“電磁波制限”を示せば呼び出し動作停止モードを設定する。
【０１１４】
また、この実施例では、１つ１つのタグ１８内の携帯マナー情報を固定的なものとして説明したが、これを時間帯によって変化させる方法もある。たとえば電車内のタグ１８について、朝夕のラッシュ時間帯は全て“電磁波制限”とし、ラッシュ以外の時間帯は優先座席付近のものを除き“音量制限”に変更する。
【０１１５】
また、この実施例では、非音声呼び出しモードが設定された状態で着信を受けたとき筺体を振動させたが、着信を示すランプを点灯させたり、着信画面を表示したりしてもよい。要するに、呼び出し音によらない何らかの呼び出し動作を行えばよい。
【０１１６】
なお、最近、道路や電柱、住居表示板などにＩＣチップを埋め込み、携帯端末に音声や画像で目的地までの経路や施設などの情報を提供するインフラ整備計画が検討されている。かかるＩＣチップに携帯マナー情報を記憶させれば、この発明のモード自動設定を広範囲で行うことができる。
【０１１７】
以上では携帯電話を用いて説明したが、この発明は、携帯電話に限らず、ＰＨＳ，携帯情報端末（ＰＤＡ），ポケットベル，通信機能を備えたノートパソコンなど、あらゆる種類の携帯通信端末に適用することができる。
【図面の簡単な説明】
【０１１８】
【図１】この発明の一実施例を示すブロック図である。
【図２】携帯電話１２の構成を示すブロック図である。
【図３】タグ１８ａ〜１８ｃの構成を示すブロック図である。
【図４】（Ａ）はタグ１８ａに記録されたタグ情報を示す図解図であり、（Ｂ）はタグ１８ｂに記録されたタグ情報を示す図解図であり、（Ｃ）はタグ１８ｃに記録されたタグ情報を示す図解図である。
【図５】選択画面の一例を示す図解図である。
【図６】選択画面の他の一例を示す図解図である。
【図７】選択画面のその他の一例を示す図解図である。
【図８】通知画面の一例を示す図解図である。
【図９】通知画面の他の一例を示す図解図である。
【図１０】通知画面のその他の一例を示す図解図である。
【図１１】ＣＰＵの動作の一部を示すフロー図である。
【図１２】ＣＰＵ動作の他の一部を示すフロー図である。
【図１３】ＣＰＵ動作のその他の一部を示すフロー図である。
【図１４】ＣＰＵ動作のさらにその他の一部を示すフロー図である。
【図１５】ＣＰＵ動作の他の一部を示すフロー図である。
【符号の説明】
【０１１９】
１０…無線通信システム
１２，１４…携帯電話
１６…無線基地局
１８ａ，１８ｂ，１８ｃ…タグ
３０，４０…アンテナ
３６…スピーカ
４２…無線タグリーダ
４４…ＣＰＵ
４６…ＬＣＤモニタ
５２…振動発生回路
Ｅ０…無制限エリア
Ｅ１…音量制限エリア
Ｅ２…電磁波制限エリア
【図１】
2006148617.tif 000003
【図２】
2006148617.tif 000004
【図３】
2006148617.tif 000005
【図４】
2006148617.tif 000006
【図５】
2006148617.tif 000007
【図６】
2006148617.tif 000008
【図７】
2006148617.tif 000009
【図８】
2006148617.tif 000010
【図９】
2006148617.tif 000011
【図１０】
2006148617.tif 000012
【図１１】
2006148617.tif 000013
【図１２】
2006148617.tif 000014
【図１３】
2006148617.tif 000015
【図１４】
2006148617.tif 000016
【図１５】
2006148617.tif 000017